(57)【要約】【課題】発信者が発呼したときの待ち時間を短縮すること。【解決手段】回路終端装置は、発信者の電話番号を表す発信者番号情報を含む発呼信号を発呼側電話機から受信し、発呼信号に含まれる発信者番号情報を抽出する。回路終端装置は、発呼信号に従って、電話機の鳴動部を鳴動させるための呼出信号に発信者番号情報を重畳させた重畳呼出信号を生成し、電話機に送信する。電話機は、重畳呼出信号を呼出信号と発信者番号情報とに分離し、発信者番号情報が表す発信者の電話番号を表示部に表示する表示処理を実行すると共に、呼出信号に従って鳴動部を鳴動させる鳴動処理を実行する。本発明では、回路終端装置が発信者番号情報を呼出信号に重畳して電話機に送信しているので、電話機は、表示処理と鳴動処理とを同時に実行することができる。これにより、発信者が発呼したときの待ち時間を短縮することができる。【選択図】図２
2010200027.tif 000002
【特許請求の範囲】
【請求項１】
発信者から発呼があることを通知するための表示部と鳴動部とを備える電話機と、
前記電話機に接続された回路終端装置と
を具備し、
前記回路終端装置は、
前記発信者の電話番号を表す発信者番号情報を含む発呼信号を発呼側電話機から受信する回線インタフェースと、
前記発呼信号に含まれる前記発信者番号情報を抽出する情報解析部と、
前記発呼信号に従って、前記鳴動部を鳴動させるための呼出信号に前記発信者番号情報を重畳させた重畳呼出信号を生成し、前記電話機に送信する呼出信号生成部と
を備え、
前記電話機は、
前記回路終端装置からの前記重畳呼出信号を前記呼出信号と前記発信者番号情報とに分離するフィルタ部と、
前記発信者番号情報が表す前記発信者の電話番号を前記表示部に表示すると共に、前記呼出信号に従って前記鳴動部を鳴動させる信号解析部と
を更に備える電話機システム。
【請求項２】
前記呼出信号生成部は、
前記発呼信号に従って、周期的な前記呼出信号を生成し、１周期目の前記呼出信号に前記発信者番号情報を重畳させて前記重畳呼出信号を生成し、前記電話機に送信する
請求項１に記載の電話機システム。
【請求項３】
前記発呼信号は、前記発信者のメッセージを表すメッセージ情報を更に含み、
前記呼出信号生成部は、
前記発呼信号に従って、前記呼出信号に前記発信者番号情報と前記メッセージ情報とを重畳させた重畳呼出信号を生成し、前記電話機に送信し、
前記フィルタ部は、前記回路終端装置からの前記重畳呼出信号を前記呼出信号と前記発信者番号情報と前記メッセージ情報とに分離し、
前記信号解析部は、前記発信者番号情報が表す前記発信者の電話番号と前記メッセージ情報が表す前記発信者のメッセージとを前記表示部に表示すると共に、前記呼出信号に従って前記鳴動部を鳴動させる
請求項１に記載の電話機システム。
【請求項４】
前記呼出信号生成部は、
前記発呼信号に従って、周期的な前記呼出信号を生成し、１周期目の前記呼出信号に前記発信者番号情報を重畳させ、２周期目以降の前記呼出信号に前記メッセージ情報を重畳させて前記重畳呼出信号を生成し、前記電話機に送信する
請求項３に記載の電話機システム。
【請求項５】
前記メッセージ情報は、識別子を含み、
前記電話機は、
複数のメッセージと複数の識別子とが格納されたメモリ部
を更に備え、
前記信号解析部は、
前記メモリ部に格納された前記複数の識別子の中から、前記メッセージ情報に含まれる前記識別子に一致する選択識別子を選択し、
前記メモリ部に格納された前記複数のメッセージのうちの、前記選択識別子に対応する選択メッセージを前記発信者のメッセージとして前記表示部に表示する
請求項３又は４に記載の電話機システム。
【請求項６】
請求項１〜５のいずれかに記載の電話機システムに使用される回路終端装置。
【請求項７】
請求項１〜５のいずれかに記載の電話機システムに使用される電話機。
【請求項８】
発信者から発呼があることを通知するための表示部と鳴動部とを備える電話機と、前記電話機に接続された回路終端装置とを用いる方法であって、
（ａ）  前記回路終端装置が、前記発信者の電話番号を表す発信者番号情報を含む発呼信号を発呼側電話機から受信するステップと、
（ｂ）  前記回路終端装置が、前記発呼信号に含まれる前記発信者番号情報を抽出するステップと、
（ｃ）  前記回路終端装置が、前記発呼信号に従って、前記鳴動部を鳴動させるための呼出信号に前記発信者番号情報を重畳させた重畳呼出信号を生成するステップと、
（ｄ）  前記回路終端装置が、前記重畳呼出信号を前記電話機に送信するステップと、
（ｅ）  前記電話機が、前記回路終端装置からの前記重畳呼出信号を前記呼出信号と前記発信者番号情報とに分離するステップと、
（ｆ）  前記電話機が、前記発信者番号情報が表す前記発信者の電話番号を前記表示部に表示するステップと、
（ｇ）  前記電話機が、前記（ｆ）のステップと同時に、前記呼出信号に従って前記鳴動部を鳴動させるステップと
を具備する通信方法。
【請求項９】
前記（ｃ）のステップは、前記発呼信号に従って、
周期的な前記呼出信号を生成するステップと、
１周期目の前記呼出信号に前記発信者番号情報を重畳させて前記重畳呼出信号を生成するステップと
を含む請求項８に記載の通信方法。
【請求項１０】
前記発呼信号は、前記発信者のメッセージを表すメッセージ情報を更に含み、
前記（ｃ）のステップは、前記発呼信号に従って、
前記呼出信号に前記発信者番号情報と前記メッセージ情報とを重畳させた重畳呼出信号を生成するステップ
を含み、
前記（ｅ）のステップは、
前記回路終端装置からの前記重畳呼出信号を前記呼出信号と前記発信者番号情報と前記メッセージ情報とに分離するステップ
を含み、
（ｈ）  前記電話機が、前記（ｆ）のステップと同時に、前記メッセージ情報が表す前記発信者のメッセージを前記表示部に表示するステップ
を更に具備する請求項８に記載の通信方法。
【請求項１１】
前記（ｃ）のステップは、前記発呼信号に従って、
周期的な前記呼出信号を生成するステップと、
１周期目の前記呼出信号に前記発信者番号情報を重畳させ、２周期目以降の前記呼出信号に前記メッセージ情報を重畳させて前記重畳呼出信号を生成するステップと
を更に含む請求項１０に記載の通信方法。
【請求項１２】
前記メッセージ情報は識別子を含み、前記電話機は、複数のメッセージと複数の識別子とが格納されたメモリ部を更に備え、
（ｉ）  前記電話機が、前記メモリ部に格納された前記複数の識別子の中から、前記メッセージ情報に含まれる前記識別子に一致する選択識別子を選択するステップと、
（ｊ）  前記電話機が、前記メモリ部に格納された前記複数のメッセージのうちの、前記選択識別子に対応する選択メッセージを前記発信者のメッセージとして選択し、前記（ｈ）のステップを実行するステップと
を更に具備する請求項１０又は１１に記載の通信方法。
【請求項１３】
請求項８〜１２のいずれかに記載の通信方法の各ステップを前記回路終端装置であるコンピュータに実行させるコンピュータプログラム。
【請求項１４】
請求項８〜１２のいずれかに記載の通信方法の各ステップを前記電話機であるコンピュータに実行させるコンピュータプログラム。
【発明の詳細な説明】
【技術分野】
【０００１】
本発明は、建物内に設けられた電話機と回路終端装置とを具備する電話機システムに関する。
【背景技術】
【０００２】
図１は、従来の電話機システムの構成を示している。従来の電話機システムは、回線網に接続された回路終端装置１０２と、回路終端装置１０２に接続された電話機１０１とを具備している。電話機１０１と回路終端装置１０２は、建物内に設けられている。
【０００３】
発信者は、電話機１２１により電話機１０１宛に発呼したものとする。この場合、電話機１２１は、回線網を介して、電話機１０１宛に発呼するための発呼信号を送信する。電話機１２１、電話機１０１は、それぞれ、発呼側電話機、着呼側電話機に対応する。また、発呼信号は、発信者の電話番号を表す発信者番号情報を含んでいる。
【０００４】
回路終端装置１０２は、発呼信号に従って、電話機１０１の表示部に発信者の電話番号を表示させるためのナンバーディスプレイ（以降、ＮＤと称する）信号を電話機１０１に出力し、その後に、電話機１０１の鳴動部を鳴動させるための呼出信号を電話機１０１に出力する。ＮＤ信号は、０．５秒間隔の起動信号と上記の電話番号情報となるモデム信号とにより構成される。
【０００５】
電話機１０１は、ＮＤ信号に基づいて、発信者の電話番号を自身の表示部に表示し、発信者から発呼があることを文字により電話機１０１の利用者（着信者）に通知する。また、電話機１０１は、呼出信号に従って、鳴動部を鳴動させて、発信者から発呼があることを音により着信者に通知する。
【０００６】
しかし、従来の電話機システムでは、電話機１０１は、回路終端装置１０２からＮＤ信号を受信するときに最大６秒間もかかる。このため、発信者は、電話機１０１宛に発呼したときに、６秒間は待たされることになる。
【０００７】
電話に関連する技術について紹介する。
【０００８】
特開平３−１３９９５３号公報には、呼出信号判別装置が記載されている。呼出信号判別装置は、呼び出す機器に対応した選択コードを示す選択信号と呼び出しを示す呼出信号とが、重畳又は時分割で出力される電話回線に接続されるものである。この呼出信号判別装置は、電話回線の極性の反転の検出を行う極性検出部と、この極性検出部の出力が極性の反転の検出を示すとき、選択信号が示す選択コードと予め設定された機器コードとの一致の判別を行う選択信号判別部と、選択信号判別部の判別結果により、選択コードが機器コードに一致したとき、呼出信号を外部に送出するスイッチ部とを備えたことを特徴としている。
【０００９】
特開平７−２０３００６号公報には、ボタン電話装置が記載されている。ボタン電話装置は、発信者番号を示す発信者番号情報を、所定のベル信号の断続によりなる着信信号における第ｋ番目（ｋは所定の整数）のベル信号と第ｋ＋１番目のベル信号との間隙に挿入して着信側に通知する機能を有した網に接続されるものであり、着信時には受信手段により受信された発信者番号情報に対応する発信者番号を着信先の内線端末に設けられた表示手段に表示するものである。このボタン電話装置は、ベル信号を検出するための検出手段と、この検出手段により最初のベル信号が検出されてから第ｋ＋１番目のベル信号が検出されるまでは着信先の内線端末による応答を禁止する応答禁止手段と、検出手段により第ｋ番目までのベル信号が検出されているときには着信先の内線端末を鳴動させず、第ｋ＋１番目のベル信号が検出手段により検出されたことに応じて着信先の内線端末の鳴動を開始させるとともに、受信手段により受信された発信者番号情報に対応する発信者番号の表示器への表示を開始させる着信制御手段とを具備したことを特徴としている。
【００１０】
特開２００２−１６５０４０号公報には、局用交換機のアナログ加入者回路が記載されている。局用交換機のアナログ加入者回路は、加入者端末に通話電流を局電池で給電し、加入者端末がオンフック時に局電池の電圧を出力しなければならないものである。このアナログ加入者回路は、オフフック時の通話電流を監視する通話電流監視回路と、加入者端末が予め設定された近端の端末か遠端の端末かを示す情報と、通話電流監視回路の出力を受けて電圧のセレクト信号を出力する通話電流制御回路と、該通話電流制御回路の出力であるセレクト信号により、近端の端末がオフフック中のみ給電電圧の電源を局電池から別の電圧に切り替えるセレクタとを具備することを特徴としている。
【００１１】
特開平９−３２１９１３号公報には、通信端末装置が記載されている。通信端末装置は、音声通話を行うためのハンドセットを有する音声通信端末と接続されるものである。この通信端末装置は、音声通信端末から受け取った命令信号を判別する命令信号判別部と、命令信号判別部で判別された結果が回線切断命令信号である場合に、通信を終了して回線切断を行うか、あるいは、通信を終了せずに音声以外のデータを相手端末に転送するようにするかをユーザに選択させるようにする通信終了選択手段と、通信終了選択手段を介して音声以外のデータを相手端末に転送することをユーザが選択した場合には、ハンドセットがオフにされて回線切断命令信号が音声通信端末から出力されていても回線を接続しておくように制御する回線制御手段とを具備することを特徴としている。
【先行技術文献】
【特許文献】
【００１２】
【特許文献１】特開平３−１３９９５３号公報
【特許文献２】特開平７−２０３００６号公報
【特許文献３】特開２００２−１６５０４０号公報
【特許文献４】特開平９−３２１９１３号公報
【発明の概要】
【発明が解決しようとする課題】
【００１３】
本発明の課題は、発信者が発呼したときの待ち時間を短縮することができる電話機システムを提供することにある。
【課題を解決するための手段】
【００１４】
本発明の電話機システムは、発信者から発呼があることを通知するための表示部と鳴動部とを備える電話機と、電話機に接続された回路終端装置とを具備している。回路終端装置は、回線インタフェースと情報解析部と呼出信号生成部とを備えている。回線インタフェースは、発信者の電話番号を表す発信者番号情報を含む発呼信号を発呼側電話機から受信する。情報解析部は、発呼信号に含まれる発信者番号情報を抽出する。呼出信号生成部は、発呼信号に従って、鳴動部を鳴動させるための呼出信号に発信者番号情報を重畳させた重畳呼出信号を生成し、電話機に送信する。電話機は、フィルタ部と信号解析部とを更に備えている。フィルタ部は、回路終端装置からの重畳呼出信号を呼出信号と発信者番号情報とに分離する。信号解析部は、発信者番号情報が表す発信者の電話番号を表示部に表示する表示処理を実行すると共に、呼出信号に従って鳴動部を鳴動させる鳴動処理を実行する。
【発明の効果】
【００１５】
従来の電話機システムでは、電話機が回路終端装置からＮＤ信号（０．５秒間隔の起動信号と電話番号情報となるモデム信号）を受信するときに最大６秒間もかかる。一方、本発明の電話機システムによれば、回路終端装置が発信者番号情報を呼出信号に重畳して電話機に送信しているので、電話機は、上述の表示処理と鳴動処理とを同時に実行することができる。これにより、発信者が発呼したときの待ち時間を短縮することができる。
【図面の簡単な説明】
【００１６】
【図１】図１は、従来の電話機システムの構成を示している。
【図２】図２は、本発明の第１実施形態による電話機システムの構成を示している。
【図３】図３は、本発明の第１、２実施形態による電話機システムの動作を説明するための図である。
【図４】図４は、本発明の第１、２実施形態による電話機システムの動作を説明するための図である。
【図５】図５は、本発明の第２実施形態による電話機システムの構成を示している。
【図６】図６は、本発明の第１、２実施形態による電話機システムの動作を示すフローチャートである。
【発明を実施するための形態】
【００１７】
以下に添付図面を参照して、本発明の実施形態による電話機システムについて詳細に説明する。
【００１８】
（第１実施形態）
［構成］
図２は、本発明の第１実施形態による電話機システムの構成を示している。本発明の第１実施形態による電話機システムは、建物内に設けられた電話機１と回路終端装置２とを具備している。
【００１９】
回線終端装置２としてはルータやＶｏＩＰ端末が例示される。回路終端装置２は、回線インタフェース３と、制御部４と、情報解析部５と、呼出信号生成部６と、ＲＪ１１コネクタ７−１とを備えている。
【００２０】
回線インタフェース３は回線網との接続インタフェースである。即ち、回路終端装置２は、回線網を介して電話機２１に接続される。ＲＪ１１コネクタ７−１には、電話機ケーブル１２が接続されている。回線インタフェース３、ＲＪ１１コネクタ７−１、電話機ケーブル１２については公知であるため、その詳細な説明を省略する。
【００２１】
回路終端装置２の上記の構成は、回路でもコンピュータプログラムでも実現可能である。コンピュータプログラムである場合、回路終端装置２（コンピュータ）は、更に、ＣＰＵ（Ｃｅｎｔｒａｌ  Ｐｒｏｃｅｓｓｉｎｇ  Ｕｎｉｔ）である実行部（図示しない）と、記録媒体である記憶部（図示しない）と、を備えている。回路終端装置２の記憶部には、コンピュータに実行させるためのコンピュータプログラムが記憶されている。回路終端装置２の実行部は、起動時などに回路終端装置２の記憶部からコンピュータプログラムを読み取って実行する。
【００２２】
電話機１は、ＲＪ１１コネクタ７−２と、フィルタ部８と、鳴動部９と、信号解析部１０と、表示部１１と、を備えている。
【００２３】
ＲＪ１１コネクタ７−２は、電話機ケーブル１２に接続されている。即ち、回路終端装置２は、電話機ケーブル１２を介して電話機１に接続されている。鳴動部９は、後述の呼出信号に従って電話機１のリンガ音を生成し、鳴動する機能を有している。表示部１１は、文字を表示するものであり、液晶などのディスプレイが例示される。ＲＪ１１コネクタ７−２、鳴動部９、表示部１１については公知であるため、その詳細な説明を省略する。
【００２４】
電話機１の上記の構成は、回路でもコンピュータプログラムでも実現可能である。コンピュータプログラムである場合、電話機１（コンピュータ）は、更に、ＣＰＵ（Ｃｅｎｔｒａｌ  Ｐｒｏｃｅｓｓｉｎｇ  Ｕｎｉｔ）である実行部（図示しない）と、記録媒体である記憶部（図示しない）と、を備えている。電話機１の記憶部には、コンピュータに実行させるためのコンピュータプログラムが記憶されている。電話機１の実行部は、起動時などに電話機１の記憶部からコンピュータプログラムを読み取って実行する。
【００２５】
［動作］
図６は、電話機１及び回路終端装置２の動作を示すフローチャートである。
【００２６】
ここで、発信者は、電話機２１により電話機１宛に発呼したものとする。この場合、電話機２１は、回線網を介して、電話機１宛に発呼するための発呼信号（例えばＳＩＰメッセージ）を送信する。電話機２１、電話機１は、それぞれ、発呼側電話機、着呼側電話機に対応する。また、発呼信号は、発信者の電話番号を表す発信者番号情報３１（図３参照）を含んでいる。
【００２７】
まず、回路終端装置２の動作について説明する。
【００２８】
制御部４は、発呼側電話機２１からの発呼信号を回線インタフェース３により受信する（ステップＳ１；受信処理）。
【００２９】
情報解析部５は、発呼信号に含まれる発信者番号情報３１を抽出する（ステップＳ２；抽出処理）。
【００３０】
呼出信号生成部６は、発呼信号に従って、呼出信号生成処理を実行する（ステップＳ３）。呼出信号生成処理において、図３に示されるように、呼出信号生成部６は、鳴動部９を鳴動させるための周期的な呼出信号３０を生成する。呼出信号生成部６は、呼出信号３０に発信者番号情報３１を重畳させた重畳呼出信号３２を生成する。呼出信号生成部６は、ＲＪ１１コネクタ７−１、電話機ケーブル１２、ＲＪ１１コネクタ７−２を介して電話機１に重畳呼出信号３２を送信する。
【００３１】
ステップＳ３において、呼出信号生成部６は、１周期目の呼出信号３０に発信者番号情報３１が重畳させることにより、重畳呼出信号３２を生成する。この理由としては電話機１が鳴動部９を鳴動するのと同時に発信者番号情報が表す発信者の電話番号を表示部１１に表示する必要があるからである。呼出信号３０の周波数は、日本電信電話株式会社発行の技術参考資料「電話サービスのインタフェース」に基づき１５Ｈｚ〜２０Ｈｚとする。従って、発信者番号情報３１の周波数は、それよりも高速である必要があり、１１桁の発信者番号情報３１を重畳させるためには、少なくとも１７６０Ｈｚ以上とする。算出例としては、（数字１桁８ビット）×１１桁×２０Ｈｚ＝１７６０Ｈｚとなる。
【００３２】
次に、電話機１の動作について説明する。
【００３３】
フィルタ部８は、図４に示されるように、回路終端装置２からの重畳呼出信号３２を呼出信号３０と発信者番号情報３１とに分離する（ステップＳ４；分離処理）。
【００３４】
信号解析部１０は、発信者番号情報３１が表す発信者の電話番号を表示部１１に表示して、発信者から発呼があることを文字により電話機１の利用者（着信者）に通知する（ステップＳ５；表示処理）。
【００３５】
信号解析部１０は、表示処理（ステップＳ５）と同時に、呼出信号３０に従って鳴動部９を鳴動させて、発信者から発呼があることを音により着信者に通知する（ステップＳ６；鳴動処理）。
【００３６】
着信者が受話器を用いて発信者からの発呼に応答した場合、信号解析部１０は、通話処理を実行する（ステップＳ７）。通話処理において、信号解析部１０は、マイクからの着信者の音声を音声信号に変換し、回線網を介して電話機２１に送信する。また、信号解析部１０は、電話機２１から回線網を介して送信される音声信号を受信し、発信者の音声に変換してレシーバーにより出力する。
【００３７】
［効果］
従来の電話機システムでは、電話機１０１が回路終端装置１０２からＮＤ信号（０．５秒間隔の起動信号と電話番号情報となるモデム信号）を受信するときに最大６秒間もかかる。一方、本発明の第１実施形態による電話機システムによれば、回路終端装置２が発信者番号情報３１を呼出信号３０に重畳して電話機１に送信しているので、電話機１は、上述の表示処理（ステップＳ５）と鳴動処理（ステップＳ６）とを同時に実行することができる。これにより、発信者が発呼したときの待ち時間を短縮することができる。
【００３８】
（第２実施形態）
第１実施形態では発信者番号情報３１を電話機１に伝達しているが、第２実施形態では、発信者番号情報３１以外のより多くの情報を電話機１に伝達することも可能である。
【００３９】
［構成］
図５は、本発明の第２実施形態による電話機システムの構成を示している。第２実施形態では、第１実施形態と重複する説明については省略する。
【００４０】
電話機１は、更に、制御メモリ部１３を備えている。制御メモリ部１３には、複数のメッセージと複数の識別子とが対応付けられて格納されている。複数のメッセージのうちの１つのメッセージは、例えば、「緊急を要するので早く電話に出てください。」などが挙げられる。
【００４１】
［動作］
ここで、上述の発呼信号は、発信者のメッセージを表すメッセージ情報を更に含んでいる。このメッセージ情報は、識別子を含んでいる。
【００４２】
呼出信号生成部６は、発呼信号に従って、呼出信号生成処理を実行する（ステップＳ３）。呼出信号生成処理において、呼出信号生成部６は、周期的な呼出信号３０を生成する。呼出信号生成部６は、呼出信号生成部６は、１周期目の呼出信号３０に発信者番号情報３１を重畳させ、２周期目以降の呼出信号３０に上記のメッセージ情報としてメッセージ情報３３（図５参照）を重畳させて重畳呼出信号３２を生成する。
【００４３】
分離処理（ステップＳ４）において、フィルタ部８は、回路終端装置２からの重畳呼出信号３２を呼出信号３０と発信者番号情報３１とメッセージ情報３３とに分離する。
【００４４】
表示処理（ステップＳ５）において、信号解析部１０は、制御メモリ部１３に格納された複数の識別子の中から、メッセージ情報３３に含まれる識別子に一致する選択識別子を選択する。次に、信号解析部１０は、制御メモリ部１３に格納された複数のメッセージのうちの、選択識別子に対応する選択メッセージを発信者のメッセージとして選択する。信号解析部１０は、発信者番号情報３１が表す発信者の電話番号と、発信者のメッセージとを表示部１１に表示する。
【００４５】
［効果］
本発明の第１実施形態による電話機システムによれば、第１実施形態の効果に加えて、発信者番号情報３１以外のより多くの情報を電話機１に伝達することができる。例えば、発信者番号情報３１と共に「緊急を要するので早く電話に出てください。」というメッセージを電話機１に伝達した場合、着信者は発信者の電話番号を確認すると同時に、そのメッセージにより着信者に早く電話に出させることも可能である。これにより、第１実施形態に比べて、発信者が発呼したときの待ち時間を更に短縮することもできる。
【００４６】
なお、本発明の第１、２実施形態による電話機システムでは、上述の形態に限定されない。
【００４７】
本発明の第１、２実施形態による電話機システムでは、伝達情報（メッセージ情報３３）として回線網からの情報を前提にしているが、回線終端装置２が地上波デジタル通信、無線通信、または他の通信インタフェースから得た情報を電話機１へ伝達することもできる。
【００４８】
また、本発明の第２実施形態による電話機システムでは、呼出信号３０に発信者番号情報３１とそれ以外の情報とを重畳させているが、可能であれば、１周期目の呼出信号３０に発信者番号情報３１とそれ以外の情報とを重畳してもよい。
【符号の説明】
【００４９】
１    電話機、
２    回線終端装置、
３    回線インタフェース、
４    制御部、
５    情報解析部、
６    呼出信号生成部、
７−１    ＲＪ１１コネクタ、
７−２    ＲＪ１１コネクタ、
８    フィルタ部、
９    鳴動部、
１０    信号解析部、
１１    表示部、
１２    電話機ケーブル、
１３    制御メモリ部、
２１    電話機、
３０    呼出信号、
３１    発信者番号情報、
３２    重畳呼出信号、
３３    メッセージ情報、
１０１    電話機、
１０２    回線終端装置、
１２１    電話機、
【図１】
2010200027.tif 000003
【図２】
2010200027.tif 000004
【図３】
2010200027.tif 000005
【図４】
2010200027.tif 000006
【図５】
2010200027.tif 000007
【図６】
2010200027.tif 000008